(57)【要約】【課題】テープタイプ使い捨ておむつの腹側部分における静的及び動的フィット性を向上させる。【解決手段】上記課題は、身体への装着に際して、ファスニングテープ５を腰の両側から腹側部分Ｆ外面に回してターゲットテープ６に連結する、テープタイプ使い捨ておむつにおいて、ターゲットテープ６は、腹側部分Ｆの幅方向中央部に固定された固定部６Ｂと、この固定部６Ｂから幅方向両側に延在する部分であって且つ腹側部分Ｆ外面に非固定又は剥離可能に固定された自由部６Ｆとを有しており、この自由部６Ｆは、ファスニングテープ６の連結部６Ｌと、自由部６Ｆのうち少なくとも固定部６Ｂと連結部６Ｌとの間の部分に設けられた、幅方向に弾性伸縮する弾性伸縮部６Ｅとを有している、ことにより解決される。【選択図】図５
2010200828.tif 000002
【特許請求の範囲】
【請求項１】
股間部と、股間部の前側に延在する腹側部分と、股間部の後側に延在する背側部分とを有し、
前記背側部分の両側部からそれぞれ突出するファスニングテープを有し、
前記腹側部分の外面に、前記ファスニングテープが連結されるターゲットテープを有し、
身体への装着に際して、前記ファスニングテープを腰の両側から腹側部分外面に回して前記ターゲットテープに連結する、テープタイプ使い捨ておむつにおいて、
前記ターゲットテープは、前記腹側部分の幅方向中央部に固定された固定部と、この固定部から幅方向両側に延在する部分であって且つ腹側部分外面に非固定又は剥離可能に固定された自由部とを有しており、この自由部は、前記ファスニングテープの連結部と、前記自由部のうち少なくとも前記固定部と前記連結部との間の部分に設けられた、幅方向に弾性伸縮する弾性伸縮部とを有している、
ことを特徴とする、テープタイプ使い捨ておむつ。
【請求項２】
前記ファスニングテープは、前記背側部分の各側部に、上下二段設けられているか又は上下方向中間の境に沿うミシン目により上下二段に分割可能とされており、前記ターゲットテープのうち少なくとも幅方向両端から弾性伸縮部に至る所定部分が、上下方向中間を境に上下二段に分割されているか又は上下方向中間の境に沿うミシン目を有している、請求項１記載のテープタイプ使い捨ておむつ。
【請求項３】
前記ファスニングテープは、前記背側部分の各側部に、上下二段設けられているか又は上下方向中間の境に沿うミシン目により上下二段に分割可能とされており、前記ターゲットテープは上下方向に二本並設されるか又は固定部においてＸ字状に交差するように二本設けられている、請求項１記載のテープタイプ使い捨ておむつ。
【請求項４】
前記ファスニングテープのうち少なくとも前記固定部及び弾性伸縮部は幅方向に弾性伸縮可能な素材により形成されるとともに、前記固定部の幅が股間側に向かうにつれて広くなっている、請求項１記載のテープタイプ使い捨ておむつ。
【請求項５】
前記ファスニングテープは、前記背側部分から突出する部分の所定部位にフックテープが固定されたものであり、
前記ターゲットテープは、一対の不織布が張り合わされるとともに、それら不織布間における少なくとも前記弾性伸縮部に弾性伸縮部材が幅方向に沿って伸長した状態で固定されているものである、請求項１〜４のいずれか１項に記載のテープタイプ使い捨ておむつ。
【発明の詳細な説明】
【技術分野】
【０００１】
本発明は、テープタイプ使い捨ておむつに関する。
【背景技術】
【０００２】
一般的なテープタイプ使い捨ておむつは、股間部と、股間部の前側に延在する腹側部分と、股間部の後側に延在する背側部分と、背側部分の両側部からそれぞれ突出するファスニングテープと、腹側部分の外面に位置し、ファスニングテープが連結されるターゲットテープとを有しており、身体への装着に際して、ファスニングテープを腰の両側から腹側部分外面に回してターゲットテープに連結する構造を有している。このようなテープタイプ使い捨ておむつは、乳幼児向けとして用いられる他、介護用途（成人用途）で広く使用されている。
【０００３】
一般に、テープタイプ使い捨ておむつは、パンツタイプ使い捨ておむつと比べて胴回り方向のフィット性に劣るため、これを改善するために、背側部分のウエスト部に幅方向に沿って弾性伸縮する部材を設けたり、ファスニングテープに弾性伸縮する部材を設けたりすることが提案されている（例えば特許文献１参照）。
【０００４】
しかしながら、装着者の体型は腹部において起伏が激しく、人による相違も大きい。よって、背側部分やファスニングテープが伸縮するだけでは、腹側部分のフィット性が不足するおそれがある。腹側部分のフィット性に関して、ターゲットテープに複数条のスリットを幅方向に間隔を空けて設けることも提案されている（例えば特許文献２参照）が、ターゲットテープの固定による硬質化を抑制できるに過ぎず、腹側部分の静的及び動的フィット性を向上できるものではない。
【先行技術文献】
【特許文献】
【０００５】
【特許文献１】特開２００８−２９５８３６号公報
【特許文献２】特開２００１−２７６１１９号公報
【発明の概要】
【発明が解決しようとする課題】
【０００６】
そこで、本発明の主たる課題は、テープタイプ使い捨ておむつの腹側部分における静的及び動的フィット性を向上させることにある。
【課題を解決するための手段】
【０００７】
上記課題を解決した本発明は次記のとおりである。
＜請求項１記載の発明＞
股間部と、股間部の前側に延在する腹側部分と、股間部の後側に延在する背側部分とを有し、
前記背側部分の両側部からそれぞれ突出するファスニングテープを有し、
前記腹側部分の外面に、前記ファスニングテープが連結されるターゲットテープを有し、
身体への装着に際して、前記ファスニングテープを腰の両側から腹側部分外面に回して前記ターゲットテープに連結する、テープタイプ使い捨ておむつにおいて、
前記ターゲットテープは、前記腹側部分の幅方向中央部に固定された固定部と、この固定部から幅方向両側に延在する部分であって且つ腹側部分外面に非固定又は剥離可能に固定された自由部とを有しており、この自由部は、前記ファスニングテープの連結部と、前記自由部のうち少なくとも前記固定部と前記連結部との間の部分に設けられた、幅方向に弾性伸縮する弾性伸縮部とを有している、
ことを特徴とする、テープタイプ使い捨ておむつ。
【０００８】
（作用効果）
このような弾性伸縮部を有するターゲットテープを設けることにより、ファスニングテープをターゲットテープに連結した装着状態において、ターゲットテープの弾性伸縮により、腹側部分が胴回り方向に弾力的に締め付けられる。しかもこの際、ターゲットテープは幅方向中央部のみ固定部とされ、その両側の自由部はファスニングテープによる引張方向の変化に応じて向きを変えることができるため、体の動きによる下腹部及びその近傍の起伏変化に対しても容易に追従し、弾力的な締め付けを維持できる。つまり、腹側部分における静的及び動的フィット性に優れたものとなる。また、装着者の体位変化の際に、ターゲットテープには体重がかかることが少ないため、ターゲットテープが伸びきったり、切れたりするおそれも少ない。さらに、ターゲットテープの固定部は幅方向中央部のみであるため、腹側部分の柔軟性及び通気性も高いものとなる。
【０００９】
＜請求項２記載の発明＞
前記ファスニングテープは、前記背側部分の各側部に、上下二段設けられているか又は上下方向中間の境に沿うミシン目により上下二段に分割可能とされており、前記ターゲットテープのうち少なくとも幅方向両端から弾性伸縮部に至る所定部分が、上下方向中間を境に上下二段に分割されているか又は上下方向中間の境に沿うミシン目を有している、請求項１記載のテープタイプ使い捨ておむつ。
【００１０】
（作用効果）
特に大人用のテープ式使い捨ておむつにおいては、そのサイズが大きいこと等により、ファスニングテープが上下二段設けられているか又は上下方向中間の境に沿うミシン目により上下二段に分割可能とされていることが多い。このようなタイプでは、装着状態において上下のファスニングテープは独立しており、その引張方向や引張強さも異なる。よって、このような場合、上述のようにターゲットテープ両側の弾性伸縮部および連結部をそれぞれ上下二段に分けると、上下各ファスニングテープの引張方向や引張強さに応じて、ターゲットテープの上下各部も独立的に向きを変え、また伸縮できるため、より高いフィット性を発揮できるようになる。
【００１１】
＜請求項３記載の発明＞
前記ファスニングテープは、前記背側部分の各側部に、上下二段設けられているか又は上下方向中間の境に沿うミシン目により上下二段に分割可能とされており、前記ターゲットテープは上下方向に二本並設されるか又は固定部においてＸ字状に交差するように二本設けられている、請求項１記載のテープタイプ使い捨ておむつ。
【００１２】
（作用効果）
このように、ターゲットテープを複数設けることでも、上下各ファスニングテープの引張方向や引張強さに応じて、ターゲットテープの上下各部が独立的に向きを変え、また伸縮できるため、より高いフィット性を発揮できるようになる。
【００１３】
＜請求項４記載の発明＞
前記ファスニングテープのうち少なくとも前記固定部及び弾性伸縮部は幅方向に弾性伸縮可能な素材により形成されるとともに、前記固定部の幅が股間側に向かうにつれて広くなっている、請求項１記載のテープタイプ使い捨ておむつ。
【００１４】
（作用効果）
弾性伸縮部の伸縮量は、弾性伸縮部の幅方向長さによって変化させることができる。よって、ターゲットテープとして、例えば全体が幅方向の弾性伸縮性を有する素材を用いる場合等では、固定部の幅をターゲットテープの上下で変化させることで、弾性伸縮部の伸縮量をターゲットテープの上下で変化させることができる。特に、上述のように固定部の幅が股間側に向かうにつれて広くなっていると、腹部の起伏に対するフィット性が高くなるため好ましい。
【００１５】
＜請求項５記載の発明＞
前記ファスニングテープは、前記背側部分から突出する部分の所定部位にフックテープが固定されたものであり、
前記ターゲットテープは、一対の不織布が張り合わされるとともに、それら不織布間における少なくとも前記弾性伸縮部に弾性伸縮部材が幅方向に沿って伸長した状態で固定されているものである、請求項１〜４のいずれか１項に記載のテープタイプ使い捨ておむつ。
【００１６】
（作用効果）
ターゲットテープは特に限定されないが、ファスニングテープの連結手段としてフックテープを用いる場合には、上述のように表裏の不織布層で弾性伸縮部材を挟んだものがローコストで容易に製造できるためこのましい。この場合、フックテープのフックがターゲットテープの表面の不織布層の繊維に絡まることで、連結が可能となる。
【発明の効果】
【００１７】
以上のとおり本発明によれば、腹側部分における静的及び動的フィット性に優れたものとなる、等の利点がもたらされる。
【図面の簡単な説明】
【００１８】
【図１】テープタイプ使い捨ておむつの展開状態の内面側を示す平面図である。
【図２】図１のＶ−Ｖ断面図である。
【図３】図１のＸ−Ｘ断面図である。
【図４】図１のＷ−Ｗ断面図である。
【図５】テープタイプ使い捨ておむつの展開状態の外面側を示す平面図である。
【図６】幅方向伸長状態のターゲットテープ例の写真である。
【図７】他の形態のテープ連結状態を示す要部正面図である。
【図８】テープタイプ使い捨ておむつの装着状態の左側を示す概略図である。
【発明を実施するための形態】
【００１９】
以下、本発明の一実施形態について添付図面を参照しつつ詳説する。
（テープタイプ使い捨ておむつについて）
図１〜図６は、本発明に係るテープタイプ使い捨ておむつの一例１００を示しており、この使い捨ておむつ１００は、裏面側に位置するバックシート１と肌に接触する透液性トップシート２との間に、吸収体３が介在されているものである。股間部Ｃは使用時に身体の股間と対応させる部分を意味し、殆ど多くの製品では前後方向中央部及びその前後近傍の部分である。具体的には、成人向け吸収性物品の場合、製品の前後方向中央を基準として±１５０ｍｍの範囲である。また、腹側部分（前側部分）Ｆは股間部Ｃよりも前側の部分を意味し、背側部分（後側部分）Ｂは股間部Ｃよりも後側の部分を意味する。
【００２０】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２１】
バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２２】
バックシート１の裏面は外装シート１２で覆われており、この外装シート１２の両側部はバックシート１の側縁よりも外側に延在している。外装シート１２としては各種の不織布を用いることができるが、スパンボンド不織布が好適である。外装シート１２は省略することもでき、その場合、バックシート１が外装シート１２と同形状に形成される。
【００２３】
トップシート２は、吸収体３の周囲より外側に延在しており、吸収体３側縁より外側に延在する部分がバックシート１にホットメルト接着剤等により固着されている。なお、図中の点模様は固着部分を表しているものである。トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。
【００２４】
図３及び図４にも示されるように、物品内面の両側部（図示形態ではトップシート２の側縁部表面からその側方に延在する外装シート１２の表面）には、バリヤーシート４の幅方向外側の部分４ｘが前後方向全体にわたり貼り付けられている。バリヤーシート４は、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、細長状弾性伸縮部材４Ｇが前後方向に沿って伸張状態でホットメルト接着剤等により固定されている。この細長状弾性伸縮部材４Ｇ（他の細長状弾性伸縮部材も同様）としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Ｇの収縮力が作用する結果、図４に示されるように、物品内面（図示形態ではトップシート２表面）に対して起立するバリヤーを構成する。この起立部分の基端４ｂはバリヤーシート４における幅方向外側の固定部分４ｘと内側の部分４ｃとの境に位置する。
【００２５】
使い捨ておむつ１００の前後方向両端部では、バックシート１、外装シート１２、透液性トップシート２およびバリヤーシート４が吸収体３の前後端よりも前後両側にそれぞれ延在され、吸収体３の存在しないエンドフラップ部ＥＦが形成されている。
【００２６】
一方、使い捨ておむつ１００の左右両側部では、バックシート１、外装シート１２、透液性トップシート２およびバリヤーシート４が吸収体３の側縁よりも側方にそれぞれ延在され、吸収体３の存在しないサイドフラップ部が形成されており、各サイドフラップ部におけるシート間（図示例ではバックシート１及びトップシート２間）には、腹側部分Ｆのウエスト側部分から背側部分Ｂのウエスト側部分まで、複数本の細長状弾性伸縮部材３０が間隔を空けて平行に且つそれぞれ長手方向に伸張した状態で挟持固定されている。
【００２７】
サイドフラップ部のうち腹側部分Ｆのウエスト側部分及び背側部分Ｂのウエスト側部分にそれぞれ位置する部分は、それらの間の中間部分よりも側方に延出されており、これらの部分が、おむつの胴回り部分となるウエスト側サイドフラップ部ＳＦをそれぞれ構成する。
【００２８】
背側部分Ｂの両ウエスト側サイドフラップ部ＳＦは、その側縁の上端部及び下端部近傍からそれぞれ突出するファスニングテープ５が取り付けられている。腹側部分Ｆのウエスト側端縁と背側部分Ｂのウエスト側端縁とが合わさるように、おむつ１００の前後方向中央を境に二つ折りした状態では、腹側部分Ｆのウエスト側サイドフラップ部ＳＦの下縁は背側部分Ｂの下端部近傍のファスニングテープ５の下縁より股間側に位置するように、サイドフラップ部ＳＦの寸法・形状及びファスニングテープ５の位置等が定められている。
【００２９】
図示例のファスニングテープ５は、ウエスト側サイドフラップ部ＳＦの側端部の裏面にホットメルト接着剤等の手段により固着された基端部、及びウエスト側サイドフラップ部ＳＦの側端から突出する先端側部分を有する主基材シート８Ａと、主基材シートの先端部近傍の内面に接着剤等の手段により固着されたフックテープ（メカニカルファスナー（面ファスナーともいう）の雄材）９と、ウエスト側サイドフラップ部ＳＦの側端部の表面における主基材シート８Ａの基端部と重なる部位にホットメルト接着剤等の手段により固着された基端部、及びウエスト側サイドフラップ部ＳＦの側端から突出し、主基材シート８Ａの先端側部分におけるフックテープ９よりも基端側の部分に接着剤等の手段により固着された先端側部分を有する副基材シート８Ｂとを有するものである。ファスニングテープ５は、未使用時にはおむつ内面側に折り返されて仮止めされており、使用時に展開される。主基材シート８Ａ及び副基材シート８Ｂとしては、ポリエチレン（ＰＥ）、ポリプロピレン（ＰＰ）、ＰＥＴ（ポリエチレンテレフタレート）等のオレフィン系樹脂のシートを用いることができ、主基材シート８Ａについては強度の観点から厚さが４０〜３００μｍ、特に６０〜２００μｍ程度であるのが好ましい。
【００３０】
また、腹側部分Ｆの胴回り部表面に幅方向に沿ってターゲットテープ６が貼着されており、身体への装着に際しては、おむつ１００を身体にあてがった状態で、両側のファスニングテープ５を腰の各側から腹側部分外面に回してターゲットテープ６に連結する。
【００３１】
特徴的には、ターゲットテープ６は、腹側部分Ｆの幅方向中央部に固定された固定部６Ｂと、この固定部６Ｂから幅方向両側に延在する部分であって且つ腹側部分Ｆ外面に剥離可能に固定された自由部６Ｆとを有している。自由部６Ｆは、ファスニングテープ５を連結するための部分である連結部６Ｌと、少なくとも固定部６Ｆと連結部６Ｌとの間の部分に設けられた、幅方向に弾性伸縮する弾性伸縮部６Ｅとを有している。
【００３２】
より詳細に説明すると、図示例のターゲットテープ６は、ファスニングテープ５の連結手段としてフックテープ９を用いる場合を想定したものであり、図６にも示すように、その全体にわたり一対の不織布６Ｎ，６Ｎが張り合わされるとともに、その不織布６Ｎ，６Ｎ間に、幅全体にわたり延在する弾性伸縮部材６Ｇが上下方向（縦方向）に間隔を空けて複数本配置され、且つそれぞれ伸長状態で固定されているものである。このような弾性伸縮シートは、使い捨ておむつの分野で多用されており、ローコストで容易に製造できるため好ましい。弾性伸縮部材６Ｇとしては、糸状（図示例）、紐状、帯状等の細長状に形成されたものからゴムシートや網状のものを用いることができ、細長状のものを格子状に配置したりすることもでき、また天然ゴム、合成ゴムのいずれを用いることもできる。このターゲットテープ６では、フックテープ９のフックがターゲットテープ６表面の不織布層の繊維に絡まることで、連結が可能となる。このターゲットテープ６に用いる不織布はフックテープ９が連結される限り特に限定されないが、強度の観点からオレフィン系繊維を用いたスパンボンド不織布、ＳＭＳ不織布が好ましく、坪量（表裏片方あたり）は１５〜２５ｇ／ｍ2程度であるのが好ましい。
【００３３】
この構造からも判るように、本実施形態のターゲットテープ６では、自由部６Ｆの全体が連結部６Ｌであるとともに、弾性伸縮部６Ｅでもある。また固定部６Ｂは固定により弾性伸縮しない部分となるが、弾性伸縮部材６Ｇを有している。もちろん、各部を異なる部材で構成したり、部分的に弾性伸縮部材６Ｇを切断したりする等により、固定部、連結部又はこれらの両方が弾性伸縮しないように構成することも可能である。また、弾性伸縮部６Ｅの幅方向伸縮量（伸縮可能な長さ）は幅方向に一様であっても良いが、幅方向両側ほど伸縮量が多くなるように構成する（本実施形態の構造でいうと、幅方向両側に向かうにつれて弾性伸縮部材６Ｇの固定時の伸長率が高くなる）するのも一つの好ましい形態である。さらに弾性伸縮部は６Ｅ、幅方向に伸縮可能である限り、上下方向に伸縮可能であっても良い。
【００３４】
ターゲットテープの自由部６Ｆは、腹側部分Ｆ外面に対して非固定とすることもできるが、装着作業の際にターゲットが自由に移動してしまうと、装着作業が困難となるため、上述のように腹側部分Ｆ外面に剥離可能に固定されているのが好ましい。ターゲットテープ６の固定状態は適宜定めることができるが、非伸長状態（自然長の状態）で且つ幅方向に沿って弛みなく延在しているのが好ましい。また、ターゲットテープ６の自由部分６Ｆを剥離可能に固定するための手段は特に限定されるものではなく、例えば自由部分６Ｆの裏面と腹側部分Ｆ外面とを粘着剤（図３中に＊印で例示した）により剥離可能に粘着する他、自由部分６Ｆの裏面及び腹側部分Ｆのいずれか一方にメカニカルファスナーのフックテープを設け、他方を不織布により構成するか又はメカニカルファスナーの雌材を設けて剥離可能に接合しても良い。また、自由部分６Ｆの表面から腹側部分Ｆ外面の素材に至る凹部をエンボス加工により形成しても良い。
【００３５】
以上に述べたようなターゲットテープ６を設けることにより、図７に示すように、ファスニングテープ５をターゲットテープ６に連結した装着状態において、ターゲットテープ６の弾性伸縮（図中に矢印で表現した）により、腹側部分Ｆが胴回り方向に弾力的に締め付けられる。しかもこの際、ターゲットテープ６は幅方向中央部のみ固定部６Ｂとされ、その両側の自由部６Ｆはファスニングテープ５による引張方向の変化に応じて向きを変えることができるため、体の動きによる下腹部及びその近傍の起伏変化に対しても容易に追従し、弾力的な締め付けを維持できる。つまり、腹側部分Ｆにおける静的及び動的フィット性に優れたものとなる。また、装着者の体位変化の際に、ターゲットテープ６には体重がかかることが少ないため、ターゲットテープ６が伸びきったり、切れたりするおそれも少ない。さらに、ターゲットテープ６の固定部６Ｂは幅方向中央部のみであるため、腹側部分Ｆの柔軟性及び通気性も高いものとなる。
【００３６】
他方、図示形態のように、ファスニングテープ５が上下二段設けられている（又は上下方向中間の境に沿うミシン目により上下二段に分割可能とされている形態も同様）場合には、図８（ａ）に示すように、ターゲットテープ６のうち少なくとも幅方向両端から弾性伸縮部６Ｅに至る所定部分が、上下方向中間（図示例では中央）を境に上下二段６１，６２に分割されている（又は上下方向中間の境に沿うミシン目を形成しておき、必要に応じて上下二段に分割できるように構成することもできる）のが好ましい。これにより、上下ファスニングテープ５，５を、ターゲットテープ６両側の上下分割部分６１，６２にそれぞれ連結することができ、上下各ファスニングテープ５，５の引張方向や引張強さに応じて、ターゲットテープの上下各部６１，６２が独立的に向きを変え、また伸縮できるようになる。よって、より高いフィット性を発揮できるようになる。図示例では、上下二段の分割に際して三角形状に切断しているが、幅方向に沿って直線状または曲線状にスリットを入れても良い。
【００３７】
また、ターゲットテープ６を上下方向に二本並設するか、又は図８（ｂ）に示すように固定部６ＢにおいてＸ字状に交差するようにターゲットテープ６を二本設けることも提案される。これにより、ターゲットテープ６の弾性伸縮部６Ｅ及び連結部６Ｌが上下二段独立的に形成されるため、これらに対して上下ファスニングテープ５をそれぞれ連結することができる。よって、図８（ａ）に示す例と同様、上下各ファスニングテープ５の引張方向や引張強さに応じて、ターゲットテープ６の上下各部が独立的に向きを変え、また伸縮できるため、より高いフィット性が発揮されるようになる。
【００３８】
各部の寸法等は適宜設計すれば良いが、通常の場合、ターゲットテープ６の自然幅（非伸長状態の幅）は製品幅Ｗの６０〜９０％程度とするのが好ましく、最大伸長幅（最大まで伸長した状態の幅）は自然幅の１００〜３００％程度とするのが好ましい。ターゲットテープ６の最大伸長幅を製品幅Ｗより十分に長くすると、装着の際、ターゲットテープ６の先端部を腹側部分Ｆの両側縁を越えて背側に回り込ませた状態で、背側部分Ｂのファスニングテープ５と連結することができ、ウエストサイズが過度に大きい場合等にも適応することができる。
【００３９】
また、弾性伸縮部６Ｅの自然幅（片方）はターゲットテープ６の自然幅（全幅）の２〜４８％程度とするのが好ましく、最大伸長幅（最大まで伸長した状態の幅）は自然幅の４８〜１５０％程度とするのが好ましい。
【００４０】
また、連結部（片方）６Ｌの幅（弾性伸縮部でもある場合は自然幅）はターゲットテープ６の自然幅（全幅）の２〜４８％程度とするのが好ましい。
【００４１】
また、ターゲットテープ６の上下方向長さは製品長の１０〜２０％程度とするのが好ましく、前述したように連結部６Ｌ及び弾性伸縮部６Ｅを上下二段設ける場合や、ターゲットテープ６自体を複数設ける場合は、各段若しくは各テープの上下方向長さは製品長の２〜２０％程度とするのが好ましい。
【００４２】
さらに、固定部６Ｂの幅は適宜定めることができるが、通常の場合で５〜１００ｍｍ程度とすることができる。特に、上述したターゲットテープ６のように、少なくとも固定部６Ｂ及び弾性伸縮部６Ｅが幅方向に弾性伸縮可能な素材により形成されている場合は、図９に示すように、固定部６Ｂの幅を股間側に向かうにつれて広くすると、ターゲットテープ６の伸縮量が股間側ほど増加（矢印で表現した）し、腹部の起伏に対するフィット性が高くなるため好ましい。この場合における固定部６Ｂの幅は、上記範囲内で変化させるのが好ましい。
【００４３】
他方、上述のターゲットテープ６のように、細長状の弾性伸縮部材６Ｇを用いる場合には、弾性伸縮部材６Ｇの太さは３００〜３０００ｄｔｅｘ程度、特に４００〜１３００ｄｔｅｘ程度、さらにいうならば９００〜１３００ｄｔｅｘ程度とするのが好ましく、また取り付け時の伸張率は１５０〜５００％程度、特に２００〜４００％程度、さらにいうならば３００〜４００％程度とするのが好ましい。また、弾性伸縮部材６Ｇの本数は、３〜１０本程度が適当であり、また、その上下方向設置間隔は２〜１０ｍｍ程度とするのが好ましい。
【００４４】
また、上述のターゲットテープ６のように、一対の不織布６Ｎ，６Ｎ間に弾性伸縮部材６Ｇを挟持する場合、両不織布６Ｎ，６Ｎは、幅方向に所定の間隔を空けて形成された、ターゲットテープの上端から下端まで連続する縦縞状の接着部分６Ｘにより接着し、且つこの縦縞状の接着部分６Ｘにより弾性伸縮部材６Ｇを表裏の不織布６Ｎ，６Ｎの両者に接着固定し、これら接着部分６Ｘ間では表裏の不織布６Ｎ，６Ｎに接着固定しない形態を採用することができる。この場合、各接着部分６Ｘの幅は５ｍｍ以下とされており、接着部分６Ｘ間の間隔（非接着部分６Ｙの幅）が接着部分６Ｘの幅よりも大きいのが好ましい。
【００４５】
より具体的には、接着部分６Ｘの幅を０．０５〜１０ｍｍ程度、特に０．１〜５ｍｍ程度、非接着部分６Ｙの幅を２〜１５ｍｍ程度、特に２〜１０ｍｍ程度とし、弾性伸縮部材６Ｇの固定時の伸張率を１５０〜５００％程度、特に２００〜４００％程度とするのが好ましい。このように接着剤の塗布パターンとして十分に細く十分に間隔の空いた接着線群からなる縦縞状パターンを採用することにより、縦方向に連続する低剛性の非接着部分６Ｙが幅方向に間欠的に形成されるため、各非接着部分６Ｙにより柔軟に折れ曲がることができるとともに、縦方向に連続する各接着部分６Ｘの幅が細いため、接着剤による硬質化が抑制される。その結果、このような接着パターンを採用したターゲットテープ６は、胴回りにおける身体表面の突出部分に対して柔軟にフィットすることができる。しかも、接着パターンが縦縞であると、弾性伸縮部材６Ｇ並びに表裏不織布６Ｎ，６Ｎは幅方向に多数箇所で接着固定されるため固定強度に優れるとともに、伸縮長さを長く確保したとしても、規則的で綺麗な縦皺が形成されるため、肌触り及び見栄えが向上するとともに、伸縮も円滑となる。
【産業上の利用可能性】
【００４６】
本発明は、テープタイプ使い捨ておむつに適用できるものである。
【符号の説明】
【００４７】
１…バックシート、２…透液性トップシート、３…吸収体、４…バリヤーシート、５…ファスニングテープ、６…ターゲットテープ、７…弾性伸縮部材、８…基材シート、９…フックテープ、１００…テープタイプ使い捨ておむつ。
【図１】
2010200828.tif 000003
【図２】
2010200828.tif 000004
【図３】
2010200828.tif 000005
【図４】
2010200828.tif 000006
【図５】
2010200828.tif 000007
【図７】
2010200828.tif 000008
【図８】
2010200828.tif 000009
【図６】
2010200828.tif 000010